(57)【要約】  本発明は、第１の通信装置と少なくとも１つの第２の通信装置とのあいだで、該第２の通信装置の電話会議を開始するキーのキー押しが検出された際に、電話会議を形成する方法に関しており、当該のキー押しを検出した検出時点に基づいて通信網に格納されている電話会議を確立するためのダイヤルアップデータを求め、前記第２の通信装置により前記第１の通信装置へのコネクション試行を開始し、前記ダイヤルアップデータに基づいて電話会議を行うためのコネクションを形成することを特徴とする。また、本発明は電話会議を形成する装置にも関する。
2010539767.tif 000002
【特許請求の範囲】
【請求項１】
第１の通信装置と少なくとも１つの第２の通信装置とのあいだで、該第２の通信装置の電話会議を開始するキーのキー押しが検出された際に、電話会議を形成する方法において、
ａ）当該のキー押しを検出した検出時点に基づいて通信網に格納されている電話会議を確立するためのダイヤルアップデータを求め、
ｂ）前記第２の通信装置により前記第１の通信装置へのコネクション試行を開始し、
ｃ）前記ダイヤルアップデータに基づいて電話会議を行うためのコネクションを形成する
ことを特徴とする電話会議を形成する方法。
【請求項２】
前記ダイヤルアップデータを少なくとも１つの通信網で利用可能なデータメモリから求める、請求項１記載の電話会議を形成する方法。
【請求項３】
前記データメモリとして、インタフェースを介して前記第２の通信装置に接続されたメモリ装置を駆動する、請求項２記載の電話会議を形成する方法。
【請求項４】
前記データメモリを、前記インタフェースを介して前記第２の通信装置と通信可能なコンピュータによって駆動する、請求項３記載の電話会議を形成する方法。
【請求項５】
前記ダイヤルアップデータを前記第２の通信装置のＩＤを表す情報および／または時点に基づいて求めることができるように編成して前記データメモリ内に格納する、請求項４記載の電話会議を形成する方法。
【請求項６】
前記ダイヤルアップデータを割り当てテーブルとして前記データメモリ内に格納する、請求項５記載の電話会議を形成する方法。
【請求項７】
前記データメモリとして前記第２の通信装置に集積されたメモリ装置を駆動する、請求項１から３までのいずれか１項記載の電話会議を形成する方法。
【請求項８】
前記格納を、スケジュール機能を実現するアプリケーションに基づいて行う、請求項１から７までのいずれか１項記載の電話会議を形成する方法。
【請求項９】
前記第１の通信装置および／または前記第２の通信装置とアプリケーションとが交換局を介して通信する、請求項１から８までのいずれか１項記載の電話会議を形成する方法。
【請求項１０】
前記第１の通信装置および／または前記第２の通信装置とアプリケーションとが直接に通信する、請求項８記載の電話会議を形成する方法。
【請求項１１】
前記アプリケーションを、前記インタフェースを介して前記第２の通信装置と通信するコンピュータが実行する、請求項１０記載の電話会議を形成する方法。
【請求項１２】
前記格納を期日データのユーザ入力に基づいて行う、請求項１から７までのいずれか１項記載の電話会議を形成する方法。
【請求項１３】
前記キーのプログラミングを、前記アプリケーションにより、定められた時間間隔で前記ダイヤルアップデータを前記キーの検出時点に対応させることにより格納する、請求項１から１２までのいずれか１項記載の電話会議を形成する方法。
【請求項１４】
インタフェースを"コンピュータテレフォニーインテグレーションCTI"、特に"コンピュータサポーテッドテレコミュニケーションズアプリケーションズCSTA"として駆動する、請求項１から１３までのいずれか１項記載の電話会議を形成する方法。
【請求項１５】
前記データメモリへのアクセスを、"ライトウェイトディレクトリアクセスコントロール"のＬＤＡＰプロトコルにしたがって行う、請求項１から１４までのいずれか１項記載の電話会議を形成する方法。
【請求項１６】
前記ダイヤルアップデータを前記第１の通信装置の呼び出し番号を含むように形成する、請求項１から１５までのいずれか１項記載の電話会議を形成する方法。
【請求項１７】
前記ダイヤルアップデータを前記電話会議の確立に必要なコードを含むように形成する、請求項１６記載の電話会議を形成する方法。
【請求項１８】
前記コードを前記第２の通信装置のディスプレイ装置に表示する、請求項１７記載の電話会議を形成する方法。
【請求項１９】
通信網の第１の通信装置と少なくとも１つの第２の通信装置とのあいだで電話会議を形成する装置において、請求項１から１８までのいずれか１項記載の電話会議を形成する方法を実行する手段を備えている
ことを特徴とする電話会議を形成する装置。
【発明の詳細な説明】
【技術分野】
【０００１】
本発明は請求項１の上位概念に記載されている電話会議を形成する方法および請求項１９の上位概念に記載されている電話会議を形成する装置に関する。
【０００２】
電話会議は特にビジネス環境で頻繁に利用される通信システムにおける周知の適用分野である。
【０００３】
電話会議には、所定数の加入者機、一般に４つ以上の端末機器と、電話会議を形成するために加入者機へダイヤルアップする会議ブリッジ装置などの専用のハードウェアおよびソフトウェアとが必要である。
【０００４】
こうしたブリッジ装置は作業スペースあるいは会議室に配置された電話機である。したがって、会議ごとに、ダイヤルアップに必要な電話番号は異なるのがふつうである。しかし、電話会議を確立する（セットアップする）には当該の電話番号が既知となっていなければならないので、実際の番号が検索されて手動で電話機に入力されることが多い。場合によっては、後のダイヤルアップの際に入力すべきダイヤルアップコードも既知となっていなければならない。
【０００５】
本発明が基礎とする課題は、従来技術の欠点を克服できる電話会議を形成する方法および装置を提供することである。
【０００６】
この課題は、請求項１に記載された特徴を有する方法および請求項１９に記載された特徴を有する装置によって解決される。
【図面の簡単な説明】
【０００７】
【図１】本発明の方法の実施例の概略図である。
【０００８】
以下に、図１に示されている実施例を参照しながら本発明の詳細ならびにその他の利点について説明する。図１には本発明の方法の実施例が概略的に示されている。
【０００９】
図１には本発明の方法の実施例が示されている。ここには、加入者端末機Ｅ、例えば電話機が存在しており、この加入者端末機Ｅは、標準電話機の正規のキー配列ないしキーボードのほか、電話会議を導入するための少なくとも１つの別のキーまたは少なくとも１つの別のキーボード機能を有している。本発明によって構成されるキーまたはキーボード機能は、電話会議を確立するために、キー押しの時点で例えば関連するカレンダから求められた呼び出し番号により、ダイヤルアップをトリガする。
【００１０】
詳細には、次のステップが行われる。すなわち、キーが押されると、当該のキー押しが第１の時点１で、純粋にソフトウェアベースの交換装置Ｐ、いわゆるソフトウェアスイッチへ、あるいは、通常の交換局などのハードウェアベースの手段へ伝送される。
【００１１】
交換装置は情報をアプリケーションＡへ転送する。これに代えて、第１の時点１でのキー押しの報告は加入者端末機ＥからアプリケーションＡへ直接に行うこともできる。アプリケーションＡは第２の時点２で割り当てテーブルから当該の加入者端末機Ｅに割り当てられた期日カレンダＫすなわちスケジュールを求め、当該の時点で最新の期日カレンダすなわちスケジュールのエントリを呼び出す。
【００１２】
次のステップでは第４の時点４でアプリケーションＡがエントリの内容からダイヤルアップ情報、例えば電話番号または必要なコードあるいはその双方を求め、インタフェース、例えばＣＴＩインタフェースＣＳＴＡを介して、呼び出し番号をダイヤルするオーダーまたはコードを第５の時点５で後にダイヤルするオーダーとして、交換装置Ｐを介して交換局へ転送する。これに代えて、直接に加入者端末機Ｅに情報を伝送し、電話会議を開始することもできる。
【００１３】
本発明の方法によればダイヤルアップ呼び出し番号を電子的な期日カレンダから自動で求めることができる。ここで、こうした呼び出し番号の取得は、例えば電子的に伝送されてきた協議の案内状から、あるいは、いわゆる"ライトウェイトディレクトリアクセスプロトコルＬＤＡＰ"を利用してアドレス帳へアクセスすることにより行われる。
【００１４】
一般に、電話会議の加入者機は例えばアプリケーションである"Outlook"または"LotusNotes"などによって形成された電子的な期日カレンダのエントリを有し、また、会議室も割り当てられたカレンダを有する。
【００１５】
本発明によれば、この会議室について、協議のために案内が行われる。つまり、電話会議が会議室で行われる場合にダイヤルアップデータを含む案内状が形成される。
【００１６】
本発明によれば、作業スペースまたは会議室の電話機のいわば"インテリジェント会議キー"が押され、このキー押しの時点で関連するカレンダから求められた呼び出し番号により、ダイヤルアップが簡単にトリガされるという利点が得られる。
【００１７】
これに代えてまたはこれに加えて、ブリッジ装置が伝達しなければならない別のデータ、例えば必要なコードが存在する場合、本発明によれば、加入者端末機Ｅのディスプレイに表示が行われ、また、自動で後のダイヤルにより、すなわち目的のダイヤルアップ入力に続くダイヤルにより、伝達ないし入力が行われる。
【００１８】
図示されていない選択的な実施例によれば、電話会議キーの時間制御式の自動プレプログラミングが行われる。
【００１９】
つまり、アプリケーションＡが規則的な間隔で期日カレンダのエントリを求め、加入者端末機Ｅの電話会議キーをプログラミングするのである。
【００２０】
これに代えて、別の実施例では、アプリケーションＡが複数の電話機についてこのプログラミングを担当してもよい。
【００２１】
その時点で最新となっている電話会議へ自動ダイヤルアップすることにより、有利にユーザ快適性が実現され、また時間も節約される。電話会議の呼び出し番号をいちいち検索する必要がなくなり、キー押しにより簡単に開始できる。
【００２２】
ここで本発明は少なくとも３つの加入者端末機による電話会議に制限されない。前述したカレンダのアプリケーションにより統一される２者間の協議（２者会議）も問題なく可能である。
【００２３】
本発明は、第１の通信装置と少なくとも１つの第２の通信装置とのあいだで、該第２の通信装置の電話会議を開始するキーのキー押しが検出された際に、電話会議を形成する方法において、ａ）当該のキー押しを検出した検出時点に基づいて通信網に格納されている電話会議を確立するためのダイヤルアップデータを求め、ｂ）前記第２の通信装置により前記第１の通信装置へのコネクション試行を開始し、ｃ）前記ダイヤルアップデータに基づいて電話会議を行うためのコネクションを形成することを特徴とする。
【００２４】
本発明の方法の利点は、電話会議を確立するためのダイヤルアップデータの手動入力が必要なく、入力エラーひいてはこれによって生じるエラー試行の可能性が最小化されることである。さらに、電話会議の加入者機の側でダイヤルアップデータを検索する必要もなくなる。
【００２５】
有利には、通信網に設けられている少なくとも１つのデータメモリからダイヤルアップデータが求められるので、このデータを早い時点でデータメモリに格納して保存しておくことができる。
【００２６】
また、有利には、データメモリとして、インタフェースを介して第２の通信装置に接続されるメモリ装置が駆動される。これにより、第２の通信装置の側で得られたダイヤルアップデータの情報を、インタフェースを介して、メモリ装置へ伝送できる。このため、例えば第２の通信装置のユーザはダイヤルアップデータを早期に、例えば電話会議の案内状を受け取った時点で取得でき、折りかえし、第２の通信装置を介して後の自動の確立過程のためにメモリ装置上に保存しておくことができる。
【００２７】
また、有利に、データメモリとして、インタフェースを介して第２の通信装置と通信可能なコンピュータを駆動してもよい。このようにすれば、第２の通信装置のユーザは、電子通信によって伝達されたデータを直接に抽出し、インタフェースを介して後の利用のためにこれをメモリ装置ないしデータメモリへ格納することができる。これにより拡張版の手段も提供される。
【００２８】
さらに有利には、ダイヤルアップデータは、第２の通信装置のＩＤを表す情報および／または時点に基づいて編成された状態でデータメモリ内に格納される。これにより、簡単かつ効果的に検出時点で有効なダイヤルアップデータを求めることができる。有利にはこれは割り当てテーブルによって行われる。
【００２９】
これに代えて、データメモリとして、第２の通信装置の１つを集積メモリ装置として駆動することもできる。別の機器から独立に、第２の通信装置への割り当ては当該の格納のみによって行われる。したがって、適切なダイヤルアップデータを求めるには、キー押しの検出された時点で１回評価を行うだけでよい。
【００３０】
これは、スケジュール機能に基づいてアプリケーションにより格納が実行される場合に特に有利である。これにより、カレンダデータから所定の時点と予定される電話会議との対応関係が簡単に抽出される。さらに、ダイヤルアップデータをカレンダデータから求め、電話会議への案内状が情報としてダイヤルアップデータを含むようにすることもできる。
【００３１】
これに代えてまたはこれに加えて、有利には、第１の通信装置および／または第２の通信装置とアプリケーションとが交換局を介して通信する。これにより、中央管理方式で格納されたスケジュール機能を基礎として格納を行うことができる。したがって、本発明の方法は、個々の加入者端末機Ｅにさらなる包括的な変更や適合化を要さずに実現可能である。
【００３２】
これに代えて、第１の通信装置および／または第２の通信装置が直接にアプリケーションと通信して、アプリケーションがインタフェースを介して第２の通信装置と通信可能なコンピュータ上で実行されるようにすることもできる。このようにすれば、典型的にはユーザ自身のコンピュータ上で動作する通常のスケジュール機能ないしオーガナイザ機能、例えばOutlookまたはLotusNoteを利用して、格納を行うことができる。
【００３３】
これに代えて、期日データのユーザ入力に基づいて格納を行ってもよい。この場合、通信端末機以外の機器が本発明の方法に必要なくなり、後の時点で行われる会議のダイヤルアップが自動的に開始されるという利点が得られる。
【００３４】
これに代えてまたはこれに加えて、有利には、キーのプログラミングは、定められた時間間隔でアプリケーションの各ダイヤルアップデータをそれぞれのキーの検出時点に対応させることにより格納されるように行ってもよい。これにより、迅速な処理が保証される。なぜなら、検出時点でダイヤルアップデータをキーのプログラミングのために定められたメモリから読み出し、直ちに利用することができからである。また、自動更新および電話会議キーの時間制御式のプレプログラミングも可能となる。
【００３５】
有利には、本発明の方法は、インタフェースがコンピュータテレフォニーインテグレーションＣＴＩとして特にコンピュータサポーテッドテレコミュニケーションアプリケーションズＣＳＴＡのプロトコルにしたがって駆動される場合に有利である。なぜなら、これにより、通信端末機とコンピュータ装置とのあいだの標準化された通信手段が実現されるからである。
【００３６】
さらに、有利には、データメモリへのアクセスが標準化された拡張インタフェースを支援しているライトウェイトディレクトリアクセスプロトコルＬＤＡＰにしたがって行われるという利点も得られる。
【００３７】
さらに、ダイヤルアップデータは第１の通信装置の呼び出し番号を含むように形成される。これに代えてまたはこれに加えて、ダイヤルアップデータに電話会議を確立するのに必要なコードが含まれるように構成してもよい。
【００３８】
有利には、当該のコードは第２の通信装置のディスプレイ装置に表示される。これにより、コードを要求するために呼び出しを行い、コードの手動入力でなく後のダイヤルアップにおける自動入力を行うシステムが実現される。
【図１】
2010539767.tif 000003
【国際調査報告】
2010539767.tif 000004
2010539767.tif 000005
2010539767.tif 000006
2010539767.tif 000007